(57)【特許請求の範囲】
【請求項１】
一端側が直流電源のプラス端子に接続された抵抗と、一端側が前記抵抗の他端側に接続され、かつ受光量に応じた大きさの電流を出力する光導電素子と、を備えた測光手段と、
一端側が前記光導電素子の他端側に接続され、他端側が前記直流電源のマイナス端子及びグランドと接続され、オンオフされるメインスイッチ手段と、
受光量に応じた大きさの電流に対応する電圧が入力される端子が、前記光導電素子の一端側と接続され、プルアップ抵抗が接続される端子が、前記測光手段がプルアップ抵抗として働くように前記メインスイッチ手段の一端側と接続され、前記メインスイッチ手段をオンにしたときに制御を開始する中央処理装置と、
を備えたことを特徴とする撮影装置。
【発明の詳細な説明】
【０００１】
【発明の属する技術分野】
本発明は、撮影装置にかかり、特に、簡易な構成の撮影装置に関する。
【０００２】
【従来の技術】
近年、被写体を撮影するカメラ（撮影装置）は、内蔵された測光ユニットによって測光した値に基づいて絞り値を調整する構成のものが一般的となってきている。
【０００３】
このようなカメラは、一般に、メインスイッチがオンされると、カメラの各種部品、及び各種部品を制御するＭＰＵやＣＰＵ等の制御部に電源が投入される。これにより、測光ユニットが駆動し始め、測光ユニットの測光結果に基づいてＭＰＵ又はＣＰＵ等からなる制御部において絞り値が決定されるように構成されている。
【０００４】
ここで、図７に、メインスイッチ１８と測光ユニット３４の回路を模式的に示した。なお、ここでは説明を簡略化するため、カメラを制御する制御部１２、メインスイッチ１８、測光ユニット３４についての接続関係のみを図示し、その他は省略している。
【０００５】
メインスイッチ１８の一端側は、プルアップ抵抗Ｒ１４０を介してバッテリＶＴのプラス側に接続され、常時電流が流れるように構成されている。また、他端側はグランドＳＧＮＤに接続されている。
【０００６】
制御部１２の端子ＳＭは、メインスイッチ１８の一端側とプルアップ抵抗Ｒ１４０との間に接続しており、制御部１２は、端子ＳＭがハイレベル（Ｈ）かローレベル（Ｌ）によりメインスイッチ１８のオンオフ状態を検出する。
【０００７】
また、制御部１２の端子ＩＮＤ＿ＡＤには測光ユニット３４が接続されている。測光ユニット３４は、Ｃｄｓ３６を備えており、Ｃｄｓ３６の一端側には抵抗Ｒ１４５と半固定抵抗Ｒ１４４を介してバッテリＶＴが接続され、他端側がスイッチ１７を介してグランドＳＧＮＤに接続されている。Ｃｄｓ３６は、スイッチ１７が接続状態になると受光量に応じて導電率が変化して受光量に応じた電流を流す。
【０００８】
制御部１２の端子ＩＮＤ＿ＡＤは、Ｃｄｓ３６と抵抗Ｒ１４５との間に接続されており、制御部１２は、端子ＩＮＤ＿ＡＤ  とに接続される分圧レベルをモニタすることでＣｄｓ３６による測定光量を検出している。
【０００９】
【発明が解決しようとする課題】
しかしながら、近年、撮影装置の性能を維持しつつ、撮影装置の小型化や低価格化が叫ばれており、カメラに搭載する内部回路も例外ではない。
【００１０】
本発明は、上記事実を考慮して、撮影装置の性能を維持しつつ、単純な回路構成の撮影装置を得ることが目的である。
【００１１】
【課題を解決するための手段】
上記目的を達成するために請求項１に記載の発明の撮影装置は、一端側が直流電源のプラス端子に接続された抵抗と、一端側が前記抵抗の他端側に接続され、かつ受光量に応じた大きさの電流を出力する光導電素子と、を備えた測光手段と、一端側が前記光導電素子の他端側に接続され、他端側が前記直流電源のマイナス端子及びグランドと接続され、オンオフされるメインスイッチ手段と、受光量に応じた大きさの電流に対応する電圧が入力される端子が、前記光導電素子の一端側と接続され、プルアップ抵抗が接続される端子が、前記測光手段がプルアップ抵抗として働くように前記メインスイッチ手段の一端側と接続され、前記メインスイッチ手段をオンにしたときに制御を開始する中央処理装置と、を備えたことを特徴としている。
【００１２】
本発明の撮影装置は、前記光導電素子の他端側と前記メインスイッチ手段の一端側とを接続し、前記測光手段を通過した電流を前記メインスイッチ手段の電源としている。また、前記中央処理装置の端子を、前記光導電素子の一端側と前記メインスイッチ手段の一端側とに接続している。そのため、前記メインスイッチ手段と前記測光手段とのそれぞれに別個に電源を設ける必要がなく、また、中央処理装置側に対して前記測光手段はプルアップ抵抗となり、回路構成を簡略化できる。
【００２２】
【発明の実施の形態】
以下、図面を参照して本発明の実施の形態の一例を詳細に説明する。本実施の形態はカメラに本発明を適用したものである。
【００２３】
図２及び図３に示すように、カメラ６０は、撮影レンズ６４を備えたボデー６２を有している。このボデー６２には、撮影指示のためのレリーズボタン６６、被写体を照明するためのストロボ発光部６８、周囲の明るさ等を検出するための測光部７１、被写体を参照するためのファインダ７４、及び撮影光量を調整するための絞り調節部７６を備えている。この絞り調節部７６の周囲には、ＬＥＤ４４が設けられている。また、測光部７１は、ストロボ光を検出するための検出部７０と、周囲の明るさを検出するための検出部７２を備えている。なお、ボデー６２には、ストロボ装置１０（図５）を含む各種電子回路が内蔵されている。
【００２４】
図４に概念構成を示すように、絞り調節部７６は、カメラ構造を簡略化するために、手動による絞り調整を可能とするための機構である。絞り調節部７６は、位置指標８０Ａを有する円形プレート８０を備えており、軸８２Ａを有するピニオンギヤ８２が取り付けられている。これらは、軸８２Ａの中心を軸として回転可能（図４の矢印Ｘ方向）にボデー６２へ取り付けられている。ピニオンギヤ８２の近傍にはプレート８４が設けられており、ピニオンギヤ８２にプレート８４のラック部８４Ａが噛み合わされている。このプレート８４は一方向（図４の矢印Ｙ方向）への移動が可能に構成されている。
【００２５】
プレート８４は突起部８４Ｂを備えており、その突起部８４Ｂは絞りプレート８６の長穴８６Ｂに挿入されている。絞りプレート８６は一方の端部付近に設けられた穿孔８６Ａによりボデー６２に軸支される。これにより、絞りプレート８６は穿孔８６Ａを中心として回転可能（図４の矢印Ｚ方向）にボデー６２へ取り付けられる。他方の端部付近には、複数（本実施の形態では４つ）の大きさが異なる穿孔８６Ｃ、８６Ｄ、８６Ｅ、８６Ｆが設けられている。これらの穿孔８６Ｃ〜８６Ｆは、穿孔８６Ａから被写体からの光線の光軸８８までを半径とする円周上に設けられている。
【００２６】
以上の構成により、円形プレート８０を回転すると、ピニオンギヤ８２が回転（図４の矢印Ｘ方向）し、噛み合わされたラック部８４Ａに作用してプレート８４が一方向（図４の矢印Ｙ方向）への移動する。この移動により、突起部８４Ｂが絞りプレート８６の長穴８６Ｂを移動させ、絞りプレート８６が穿孔８６Ａを中心として回転（図４の矢印Ｚ方向）される。これにより、大きさが異なる穿孔８６Ｃ〜８６Ｆの何れかが、被写体からの光線の光軸８８上に移動される。
【００２７】
この絞り調節部７６により、適切な絞りを操作させるため、測光部７１の測光結果に対応する穿孔８６Ｃ〜８６Ｆの何れに調整可能なように、絞り調節部７６の周囲に設けられたＬＥＤ４４を点灯させることができる。そして、円形プレート８０の位置指標８０Ａを対応（円形プレート８０を回転）させることで適切な絞りの位置あわせが可能となる。
【００２８】
なお、図示は省略したが、本実施の形態のカメラ６０は、撮影レンズ６４を前後させることで、カメラ本体の電源が投入される機能を備えている。また、カメラ６０は、当該カメラで各種指示入力をするための入力装置や撮影結果等を表示するために表示装置を設けることが可能である。また、写真フィルムの装填及び離脱のための機構等の各種機構が設けられているが、汎用的かつ一般的な構成であるため、詳細な説明を省略する。写真フィルムとは、被写体を撮影後、現像処理されて、ネガ画像またはポジ画像が可視化されたフィルムをいう。
【００２９】
図５に、カメラに内蔵された電装系についてのブロック図で示す。図５において、カメラ６０の各種処理を行うためのＭＰＵ（中央処理装置）１２は、ＢＣユニット１４、及びマイコン周辺ユニット１６に接続されている。ＢＣユニット１４はバッテリチェックのための電気回路部であり、マイコン周辺ユニット１６はＭＰＵ１２の動作に必要な電気回路部である。ＭＰＵ１２には、動作指示等のためのメインスイッチ１８，レリーズスイッチ２０，シンクロスイッチ２２，及び展開スイッチ２４、そして、測光後の絞り調整指示のためのＬＥＤ４４，動作表示のためのＬＥＤ４６が接続されている。
【００３０】
また、ＭＰＵ１２には、メインコンデンサ３８に接続された充電ユニット２６，写真フィルムを給送するための給送モータ４０に接続されたモータドライバ２８，発光管４２に接続されかつフォトトランジスタ３２を含んだ発光ユニット３０，Ｃｄｓ３６を含んだ測光ユニット３４が接続されている。
【００３１】
図１に、カメラ６０の詳細回路図を示す。このカメラ６０は、バッテリＶＴを備えており、プラス側が電源端子ＶＢに接続され、マイナス側がグランド端子ＧＮＤに接続される。電源端子ＶＢは、ヒューズＲ１１６を介して３つの端子に接続される、この各端子は電源ＶＢ１，ＶＢ２，ＶＢ３として機能する。グランド端子ＧＮＤは、主に信号の接地側として使用されるグランドＳＧＮＤ、主に電力の接地側として使用されるグランドＰＧＮＤに接続される。これらのグランドは、アイソレーションすることが好ましい。
【００３２】
モータドライバ２８は、写真フィルム給送のための給送モータ４０に接続されており、コンデンサＣ１１１を備えている。コンデンサＣ１１１は、一端が電源ＶＢ３に接続され、他端がグランドＳＧＮＤに接続されている。コンデンサＣ１１１の電源ＶＢ３側は、ＰＮＰ型のトランジスタＱ１１２のエミッタに接続されている。トランジスタＱ１１２のベースは、抵抗Ｒ１１１を介してトランジスタＱ１１２のエミッタに接続されかつ抵抗Ｒ１１２を介して電界効果型のトランジスタ（ＦＥＴ）Ｑ１１１のドレインに接続されている。トランジスタＱ１１１のソースはグランドＰＧＮＤに接続され、ゲートは抵抗Ｒ１１１を介してグランドＰＧＮＤに接続されている。
【００３３】
また、トランジスタＱ１１２のコレクタは、電界効果型のトランジスタＱ１１５のドレインに接続されている。トランジスタＱ１１５のゲートはトランジスタＱ１１２のドレインと抵抗Ｒ１１２の間に接続され、ソースはグランドＰＧＮＤに接続されている。また、トランジスタＱ１１２のコレクタは、コンデンサＣ１１４を介してグランドＰＧＮＤに接続され、かつ、給送モータ４０を介してグランドＰＧＮＤに接続されている。
【００３４】
マイコン周辺ユニット１６は、レギュレータＩＣ１１２を備えている。レギュレータＩＣ１１２は、入力側電源端子に電源ＶＢ２が接続され、接地側端子にグランドＳＧＮＤが接続されている。また、レギュレータＩＣ１１２の出力側は、電源ＶＣとして機能する。電源ＶＣは、コンデンサＣ１１３を介してグランドＳＧＮＤに接続され、ダイオードＤ１１３と抵抗Ｒ１１８とコンデンサＣ１１２とを介してグランドＳＧＮＤに接続されている。この抵抗Ｒ１１８とコンデンサＣ１１２との間は抵抗Ｒ１１０を介してグランドＳＧＮＤに接続されている。また、電源ＶＣは、抵抗Ｒ１１７及びコンデンサＣ１１５を介してグランドＳＧＮＤに接続されている。
【００３５】
ＭＰＵ１２は、電源供給のための端子ＶＣＣに電源ＶＣが接続されている。また、接地のための端子ＶＳＳ，ＣＮＶＳＳはグランドＳＧＮＤに接続されている。端子ＸＩＮは、抵抗Ｒ１１７とコンデンサＣ１１５の間に接続され、端子ＲＥＳＥＴは、抵抗Ｒ１１８とコンデンサＣ１１２の間に接続されている。また、端子ＭＯＴＯＲは、トランジスタＱ１１１のゲートに接続されている。また、ＭＰＵ１２の端子ＧＬＥＤは、動作表示のためのＬＥＤ４６を構成する抵抗Ｒ１１３及び発光ダイオードＤ１１２を介して電源ＶＣに接続されている。
【００３６】
また、ＭＰＵ１２の端子ＢＣ＿ＡＤ，ＢＣ＿ＤＭＹは、ＢＣユニット１４に接続されている。ＢＣユニット１４は、ＰＮＰ型のトランジスタＱ１１４を備えており、トランジスタＱ１１４のエミッタは抵抗Ｒ１１９を介してベースに接続されかつ電源ＶＢ３に接続され、ベースは抵抗Ｒ１１１０を介してＭＰＵ１２の端子ＢＣ＿ＤＭＹに接続されている。トランジスタＱ１１４のコレクタは、抵抗Ｒ１１５，Ｒ１１４を介してグランドＰＧＮＤに接続されている。この抵抗Ｒ１１５，Ｒ１１４の間は、ＭＰＵ１２の端子ＢＣ＿ＡＤに接続されている。
【００３７】
また、ＭＰＵ１２の端子ＳＭは、メインスイッチ１８を介してグランドＳＧＮＤに接続されている。同様に、端子ＳＰはレリーズスイッチ２０を介して、端子ＳＳＹはシンクロスイッチ２２を介して、端子ＳＣＡＭは展開スイッチ２４を介してグランドＳＧＮＤに接続されている。
【００３８】
本実施の形態では、測光ユニット３４とメインスイッチ１８の端子ＳＭ側とが直列に接続されている。測光ユニット３４は、Ｃｄｓ３６を備えており、Ｃｄｓ３６の一端側がメインスイッチ１８の端子ＳＭ側に接続され、他端側は抵抗Ｒ１４５と半固定抵抗Ｒ１４４を介して電源ＶＣが接続されている。このＣｄｓ３６の一端側は、ＭＰＵ１２の端子ＩＮＤ＿ＡＤに接続されると共にコンデンサＣ１４１を介してグランドＳＧＮＤに接続されている。これにより、測光ユニット３４からの電圧がメインスイッチ１８に供給され、メインスイッチの接続状態を検知するための電源として用いられる。なお、測光ユニット３４が本発明の測光手段に相当し、メインスイッチ１８が本発明のメインスイッチ手段に相当する。
【００３９】
このように構成されているため、メインスイッチ１８がオンされて接続状態となると、メインスイッチ１８はグランドＳＧＮＤに接続されてＭＰＵ１２の端子ＳＭがローレベル（Ｌ）になる。
【００４０】
また、Ｃｄｓ３６の他端側には抵抗Ｒ１４５と半固定抵抗Ｒ１４４を介して電源ＶＣが接続されると共にＣｄｓ３６の他端側と抵抗Ｒ１４５との間にＭＰＵ１２の端子ＩＮＤ＿ＡＤが接続されているため、メインスイッチ１８がオンされてＣｄｓ３６の一端がグランドＳＧＮＤに接続されると、Ｃｄｓ３６の受光量に応じた大きさの電流が流れ、Ｃｄｓ３６の他端側に接続されたＭＰＵ１２の端子ＩＮＤ＿ＡＤにＣｄｓ３６の受光量に応じた大きさの分圧が入力される。
【００４１】
また、メインスイッチ１８がオフされて非接続状態となると、Ｃｄｓ３６からの電流はＭＰＵ１２の端子ＩＮＤ＿ＡＤに出力され、これにより、ＭＰＵ１２の端子ＳＭがハイレベル（Ｈ）になり、ＭＰＵ１２によりスイッチオフが検知される。このとき、Ｃｄｓ３６を含む測光ユニットは、ＭＰＵ１２のプルアップ抵抗として働くこととなる。
【００４２】
ＭＰＵ１２の端子ＩＮＤ＿ＬＥＤ１，ＩＮＤ＿ＬＥＤ２，ＩＮＤ＿ＬＥＤ３は、測光後の絞り調整指示のためのＬＥＤ４４に接続されている。ＬＥＤ４４は、発光ダイオードＤ１４１，Ｄ１４２，Ｄ１４３を備えており、ＭＰＵ１２の端子ＩＮＤ＿ＬＥＤ１が抵抗Ｒ１４１と発光ダイオードＤ１４１を介して電源ＶＣに接続されている。ＭＰＵ１２の端子ＩＮＤ＿ＬＥＤ２は、抵抗Ｒ１４２と発光ダイオードＤ１４２を介して電源ＶＢ３に接続され、ＩＮＤ＿ＬＥＤ３は、抵抗Ｒ１４３と発光ダイオードＤ１４３を介して電源ＶＢ３に接続されている。
【００４３】
また、ＭＰＵ１２の端子ＶＭＣ＿ＡＤ、ＥＣＴ、ＣＨＧ＿ＯＮは、充電ユニット２６に接続されている。充電ユニット２６は、トランスＴ１２１を備えており、トランスＴ１２１の１次側巻線の一端は電源ＶＢ１に接続され、他端は電界効果型のトランジスタＱ１２１のドレインに接続されている。トランジスタＱ１２１のソースはグランドＰＧＮＤに接続され、ゲートは抵抗Ｒ１２２を介してグランドＰＧＮＤに接続されている。また、トランスＴ１２１の２次側巻線の一端はダイオードＤ１２１を介してメインコンデンサ３８に接続され、他端はグランドＰＧＮＤに接続されている。
【００４４】
ダイオードＤ１２１のカソード側は、抵抗Ｒ１２３，半固定抵抗Ｒ１２４，抵抗Ｒ１２６を介してグランドＰＧＮＤに接続されている。半固定抵抗Ｒ１２４の分割端はＭＰＵ１２の端子ＶＭＣ＿ＡＤに接続されると共に、コンデンサＣ１２１を介してグランドＰＧＮＤに接続されている。ダイオードＤ１２１のアノード側（トランスＴ１２１の２次巻線の一端）は、トランジスタユニットＱ１２３に接続されている。トランジスタユニットＱ１２３は、ベース・エミッタ間が抵抗で接続されかつベースに抵抗が直列に接続されたＰＮＰトランジスタを含んで構成され、エミッタ側が電源ＶＣに、ベース側がＭＰＵ１２の端子ＣＨＧ＿ＯＮに接続されている。コレクタ側は、抵抗Ｒ１２５を介して、ＭＰＵ１２の端子ＦＣＴに接続されている。
【００４５】
ＭＰＵ１２の端子ＦＴ、ＡＳＴ＿ＯＮ、ＡＳＴ＿ＯＦＦは、発光ユニット３０に接続されている。発光ユニット３０は、発光管４２（ＰＵ１３１）に接続されたトランスＴ１３１を備えている。トランスＴ１３１の一次側巻線及び２次側巻線は、発光管４２を介して、ダイオードＤ１２１のカソード側に接続されている。このトランスＴ１３１の一次側巻線は、一端がダイオードＤ１２１のカソード側に接続された抵抗Ｒ１３５とコンデンサＣ１３２とが直列に接続されてグランドＳＧＮＤへ至る構成の、抵抗Ｒ１３５とコンデンサＣ１３２との間にも接続されている。トランスＴ１３１の共通側は、ＮＰＮ側のトランジスタＱ１３５（ＩＧＢＴ）のエミッタに接続されている。トランジスタＱ１３５ののコレクタは、グランドＰＧＮＤに接続され、ベースは、抵抗Ｒ１３７を介してグランドＰＧＮＤに接続されている。
【００４６】
ダイオードＤ１２１のカソード側は、抵抗Ｒ１３１０，Ｒ１３４を介してグランドＰＧＮＤに接続されている。抵抗Ｒ１３１０，Ｒ１３４の間には、他端がグランドＰＧＮＤに接続されたコンデンサＣ１３１の一端が接続され、かつトランジスタユニットＱ１３１が接続されている。トランジスタユニットＱ１３１は、ベース・エミッタ間が抵抗ＲＡで接続されかつベースに抵抗ＲＢが直列に接続されたＰＮＰトランジスタを含んで構成され、エミッタ側が抵抗Ｒ１３１０，Ｒ１３４の間に接続され、ベース側がＭＰＵ１２の端子ＦＴに接続されている。トランジスタＱ１３１のコレクタ側は、ＰＮＰ型のトランジスタＱ１３２のエミッタに接続されかつ抵抗Ｒ１３２，Ｒ１３９を介してトランジスタＱ１３２のベースに接続されている。トランジスタＱ１３２のコレクタは抵抗Ｒ１３１を介してＮＰＮ型のトランジスタＱ１３３のベースに接続されている。このトランジスタＱ１３３のベースは、ＭＰＵ１２の端子ＡＳＴ＿ＯＦＦにも接続されている。
【００４７】
トランジスタＱ１３３のコレクタはグランドＳＧＮＤに接続され、エミッタは、抵抗Ｒ１３２，Ｒ１３９の間に接続されている。また、抵抗Ｒ１３２，Ｒ１３９の間は、電界効果型のトランジスタＱ１３４のドレインに接続されかつ、抵抗Ｒ１３６を介してトランジスタＱ１３５のベースに接続されている。トランジスタＱ１３４のソースは、半固定抵抗Ｒ１３３を介してグランドＳＧＮＤに接続されている。
【００４８】
トランジスタＱ１３４のソースは、抵抗Ｒ１３１１を介してフォトトランジスタＱ１３６（フォトトランジスタ３２）のエミッタ側にも接続されている。フォトトランジスタＱ１３６のコレクタは、トランジスタＱ１３４のベースに接続されると共に、抵抗Ｒ１３８及びコンデンサＣ１３４を介してグランドＳＧＮＤに接続されている。抵抗Ｒ１３８及びコンデンサＣ１３４の間は、抵抗Ｒ１３０及びコンデンサＣ１３５の各々を介してグランドＳＧＮＤに接続されている。
【００４９】
また、フォトトランジスタＱ１３６のエミッタはコンデンサＣ１３６を介してグランドＳＧＮＤに接続されると共に、トランジスタユニットＱ１３７に接続されている。トランジスタユニットＱ１３７は、ベース・エミッタ間が抵抗で接続されかつベースに抵抗が直列に接続されたＰＮＰトランジスタを含んで構成され、エミッタ側が電源ＶＣに接続され、ベース側がＭＰＵ１２の端子ＡＳＴ＿ＯＮに接続されている。トランジスタユニットＱ１３７のコレクタ側は、フォトトランジスタＱ１３６のエミッタに接続されている。
【００５０】
〔カメラの動作〕
まず、ストロボ装置１０のバッテリＶＴが、電源端子ＶＢ（プラス側）、及びグランド端子ＧＮＤ（マイナス側）に接続されると、電源ＶＢ１，ＶＢ２，ＶＢ３が形成され、かつ接地側としてグランドＳＧＮＤ及びグランドＰＧＮＤが形成される。これにより、ＭＰＵ１２に電源供給され、ＭＰＵ１２の制御下で、ＢＣユニット１４、マイコン周辺ユニット１６、ＬＥＤ４４，ＬＥＤ４６、メインコンデンサ３８、充電ユニット２６、モータドライバ２８、発光ユニット３０、及び測光ユニット３４に作動可能なように電源供給がなされる。
【００５１】
カメラ６０の図示しないスイッチが投入されると、メインスイッチ１８がオンして、ＭＰＵ１２の端子ＳＭがローレベル（Ｌ）になり、ＭＰＵ１２では、図６に示す処理ルーチンが実行される。まず、ステップ１００では、バッテリチェック処理が実行される。このバッテリチェック処理は、バッテリＶＴの電源容量を検査する処理であり、端子ＢＣ＿ＤＭＹをローレベル（Ｌ）に設定したときの（抵抗Ｒ１１２と抵抗Ｒ１１４による）分圧を測定し、測定結果が所定値未満のとき表示や警報等のバッテリ残量不足の処理を実行して本ルーチンを終了する。所定値以上のときはバッテリ容量が十分であるので、次の処理へ移行する。
【００５２】
ステップ１０２では、ストロボ充電処理が実行される。ストロボ充電処理は、メイン・コンデンサＣ１３３を充電する処理であり、端子ＣＨＧ＿ＯＮをローレベル（Ｌ）にすることで、充電を開始させる。詳細には、端子ＣＨＧ＿ＯＮをローレベル（Ｌ）にして、トランジスタユニットＱ１２３をオンさせ、ＦＣＴからＬ／ＯＰＥＮのパルスを出力することでトランジスタＱ１２１をパルス駆動させる。
【００５３】
これにより、トランスＴ１２１が作動し、発光管４２を発光させる電力を貯留するメイン・コンデンサＣ１３３に、トランスＴ１２１及びダイオードＤ１２１を介して電流が供給され、メイン・コンデンサＣ１３３が充電される。
【００５４】
また、端子ＶＭＣ＿ＡＤに入力される（抵抗Ｒ１２３，Ｒ１２４，Ｒ１２６による）分圧を測定しつつ、測定結果から端子ＩＮＤ＿ＬＥＤ１〜ＩＮＤ＿ＬＥＤ３をローレベル（Ｌ）にすることでＬＥＤ４４を点灯したり点滅したりして充電状態を表示させる。また、測定結果から充電電圧に至ると、充電を終了し（端子ＣＨＧ＿ＯＮをハイレベル（Ｈ）に設定）、次の処理へ移行する。
【００５５】
次のステップ１０４では、測光処理が実行される。測光処理は、撮影時の絞り調整を促すための光量測定処理であり、メインスイッチ１８のオンにより測光を開始したＣｄｓ３６からの信号が入力される端子ＩＮＤ＿ＡＤの電圧を測定しつつ、測定結果から端子ＩＮＤ＿ＬＥＤ１〜ＩＮＤ＿ＬＥＤ３をローレベル（Ｌ）にすることでＬＥＤ４４を点灯したり点滅したりして測光状態を表示させる。この後に次の処理へ移行する。
【００５６】
次のステップ１０６では、ストロボタイマ充電処理が実行される。ストロボタイマ充電処理は、前回の充電終了から所定時間（例えば１５秒）を経過したときに、上記ステップ１０２と同様の充電処理を実行する。次のステップ１０８では、端子ＳＰがローレベル（Ｌ）になったか否かを判別することにより、レリーズボタン６６が押圧されてレリーズスイッチ２０がオンすることによる、撮影指示がなされたか否かが判断される。このステップ１０８で否定されると、ステップ１０４へ戻り、上記処理を繰り返す。一方、ステップ１０８で肯定されると、ステップ１１０へ進み、上記ステップ１００と同様にバッテリチェック処理が実行される。
【００５７】
次のステップ１１２では、撮影処理が実行される。撮影処理は、被写体を撮影するときの図示しないカメラシャッタ等の機構的な制御を実施する処理であり、この処理が終了すると、次のステップ１１４において、フィルム展開処理が実行される。フィルム展開処理は、撮影済みの写真フィルムのコマを搬送し、次の未撮影のコマを撮影位置に搬送する処理である。フィルム展開処理では、端子ＭＯＴＯＲを一定時間ハイレベル（Ｈ）に設定することによりモータ４０を駆動させる。
【００５８】
このように、本実施の形態では、メインスイッチ１８と測光ユニット３４とを直列に配置して、測光ユニット３４の電源をメインスイッチで利用するように構成したため、メインスイッチ１８と測光ユニット３４とに対して夫々個別に電源を供給する必要がなく、共通の電源を利用できる。そのため、回路構成を簡略化でき、部品点数も減らせるのでコストも抑えることができる。また、メインスイッチ１８の接続によって測光ユニット３４による測光が開始されるので、メインスイッチのオンオフのタイミングと測光ユニットのオンオフのタイミングとがずれることがない。
【００５９】
さらに、ＭＰＵ１２から見て測光ユニット３４はプルアップ抵抗として働くため、内部プルアップ抵抗を持たない構成のＭＰＵ１２を用いた場合は、プルアップ抵抗を設けることなく回路を構成することができ、部品削減が可能となる。
【００６０】
また、入力ポートへの内部プルアップが可能な構成のＭＰＵ１２を用いる場合、そのプルアップするポートが数ポート纏めてプルアップするタイプのＭＰＵ１２を用いた場合には他のプルアップされたポートのリーク電流を防ぐことができる。
【００６１】
また、測光ユニット３４はメインスイッチによりオンオフが制御される構成であるため、測光ユニット３４をオンオフするためのスイッチを別個に設ける必要がなく、回路構成を簡略化でき、コストも抑えることができる。
【００６２】
【発明の効果】
以上説明したように本発明によれば、撮影装置の性能を維持しつつ、単純な回路構成とすることができる、という効果がある。
【図面の簡単な説明】
【図１】本発明の実施の形態にかかるカメラの一例を示した回路図である。
【図２】本発明の実施の形態にかかるカメラの一例を示した斜視図である。
【図３】本発明の実施の形態にかかるカメラの一例を示した上面図である。
【図４】カメラの絞り調節部の概念構成図である。
【図５】カメラの電装系の構成を示したブロック図である。
【図６】カメラの動作の流れを示したフローチャートである。
【図７】従来のカメラの電気回路において、制御部、メインスイッチ及び測光ユニットの接続関係を模式的に示した回路図である。
【符号の説明】
１０  ストロボ装置
１４  ＢＣユニット
１６  マイコン周辺ユニット
１８  メインスイッチ
２０  レリーズスイッチ
２６  充電ユニット
２８  モータドライバ
３０  発光ユニット
３２  フォトトランジスタ
３４  測光ユニット
３６  Ｃｄｓ
３８  メインコンデンサ
４０  給送モータ
４２  発光管
６０  カメラ
６６  レリーズボタン
６８  ストロボ発光部
【図１】
0004113327.tif 000002
【図２】
0004113327.tif 000003
【図３】
0004113327.tif 000004
【図４】
0004113327.tif 000005
【図５】
0004113327.tif 000006
【図６】
0004113327.tif 000007
【図７】
0004113327.tif 000008